(57)【要約】 【課題】  異なる印刷条件が混在する冊子を、適切に後処理して分割する画像形成装置等を実現すること。【解決手段】  画像制御ＣＰＵ１１は、ホスト端末２００から受信した印刷データを画像メモリ２５の圧縮メモリ２６に記憶し、当該印刷データに含まれるページ設定情報と、印刷設定情報とをＲＡＭ１３に記憶する。そして、給紙トレイから搬送した転写紙にプリンタ部５０において印刷データに基づいた画像形成を行い、後処理装置２に搬送する。画像制御ＣＰＵ１１は、ページ設定情報や印刷設定情報に基づいて、画像種別又は転写紙サイズが変化したページを判断して、そのページを全ページ中の分割位置として決定し、当該ページの給紙情報の区切り情報をセットする。後処理装置２は、画像制御ＣＰＵ１１から転送された給紙情報に基づいて転写紙を蓄積し、区切り情報がセットされたページの転写紙が搬送されたらステイプラ７２でステイプルして排出する。【選択図】図６
2007045093.tif 000002
【特許請求の範囲】
【請求項１】
各ページの画像形成条件と画像データとを含む印刷データに基づいた画像形成をページ毎に記録媒体に行う画像形成手段と、
前記画像形成条件の変化するページを全ページ中の分割位置として決定する決定手段と、
前記決定された分割位置を参照して前記画像形成された記録媒体に後処理を施す後処理手段と、
を備えることを特徴とする画像形成装置。
【請求項２】
前記後処理手段は、前記分割位置を参照し、画像形成条件が同じ連続したページの記録媒体に同じ後処理を施す分割後処理手段を有することを特徴とする請求項１に記載の画像形成装置。
【請求項３】
前記決定手段は、画像種別の変化を判断し、この画像種別が変化するページを全ページ中の分割位置として決定することを特徴とする請求項１又は２に記載の画像形成装置。
【請求項４】
前記決定手段は、前記画像種別の変化として、縦画像と横画像との切り替わりを判断することを特徴とする請求項３に記載の画像形成装置。
【請求項５】
前記決定手段は、前記画像形成する記録媒体の大きさの変化を判断し、記録媒体の大きさが変化するページを全ページ中の分割位置として決定する用紙サイズ判断手段を有することを特徴とする請求項１〜４の何れか一項に記載の画像形成装置。
【請求項６】
前記決定手段は、前記画像形成時の記録媒体の向きの変化を判断し、記録媒体の向きが変化するページを全ページ中の分割位置として決定する用紙方向判断手段を有することを特徴とする請求項１〜５の何れか一項に記載の画像形成装置。
【請求項７】
複数の画像形成条件の中から選択する選択手段を更に備え、
前記決定手段は、前記選択手段により選択された画像形成条件の変化を判断する選択条件判断手段を有することを特徴とする請求項１〜６の何れか一項に記載の画像形成装置。
【請求項８】
前記選択手段は、前記複数の画像形成条件の中から択一的に選択することを特徴とする請求項７に記載の画像形成装置。
【請求項９】
各ページの画像形成条件と画像データとを含む印刷データに基づいた画像形成をページ毎に記録媒体に行う画像形成装置と、前記画像形成された記録媒体に後処理を施す後処理装置とが通信可能に接続された具備する画像形成システムにおいて、
前記画像形成装置は、
前記画像形成条件の変化するページを全ページ中の分割位置として決定する決定手段を備え、
前記後処理装置は、
前記決定された分割位置を参照して前記画像形成された記録媒体に後処理を施す後処理手段を備えることを特徴とする画像形成システム。
【請求項１０】
前記後処理手段は、前記分割位置を参照し、画像形成条件が同じ連続したページの記録媒体に同じ後処理を施す分割後処理手段を有することを特徴とする請求項９に記載の画像形成システム。
【請求項１１】
前記決定手段は、画像種別の変化を判断し、この画像種別が変化するページを全ページ中の分割位置として決定することを特徴とする請求項９又は１０に記載の画像形成システム。
【請求項１２】
前記決定手段は、前記画像種別の変化として、縦画像と横画像との切り替わりを判断することを特徴とする請求項１１に記載の画像形成システム。
【請求項１３】
前記決定手段は、前記画像形成する記録媒体の大きさの変化を判断し、記録媒体の大きさが変化するページを全ページ中の分割位置として決定する用紙サイズ判断手段を有することを特徴とする請求項９〜１２の何れか一項に記載の画像形成システム。
【請求項１４】
前記決定手段は、前記画像形成時の記録媒体の向きの変化を判断し、記録媒体の向きが変化するページを全ページ中の分割位置として決定する用紙方向判断手段を有することを特徴とする請求項９〜１３の何れか一項に記載の画像形成システム。
【請求項１５】
前記画像形成装置は、
複数の画像形成条件の中から選択する選択手段を更に備え、
前記決定手段は、前記選択手段により選択された画像形成条件の変化を判断する選択条件判断手段を有することを特徴とする請求項９〜１４の何れか一項に記載の画像形成システム。
【請求項１６】
前記選択手段は、前記複数の画像形成条件の中から択一的に選択することを特徴とする請求項１５に記載の画像形成システム。
【請求項１７】
端末装置と画像形成装置とが通信可能に接続された画像形成システムにおいて、
前記端末装置は、後処理方法を指定する指定手段を備え、
前記画像形成装置は、
各ページの画像形成条件と画像データとを含む印刷データに基づいた画像形成をページ毎に記録媒体に行う画像形成手段と、
前記画像形成条件の変化するページを全ページ中の分割位置として決定する決定手段と、
前記決定された分割位置を参照して前記画像形成された記録媒体に前記指定された後処理方法で後処理を施す後処理手段と、
を備えることを特徴とする画像形成システム。
【請求項１８】
前記後処理手段は、前記分割位置を参照し、画像形成条件が同じ連続したページの記録媒体に同じ後処理を施す分割後処理手段を有することを特徴とする請求項１７に記載の画像形成システム。
【請求項１９】
前記決定手段は、画像種別の変化を判断し、画像種別が変化するページを全ページ中の分割位置として決定することを特徴とする請求項１７又は１８に記載の画像形成システム。
【請求項２０】
前記決定手段は、前記画像種別の変化として、縦画像と横画像との切り替わりを判断することを特徴とする請求項１９に記載の画像形成システム。
【請求項２１】
前記決定手段は、前記画像形成する記録媒体の大きさの変化を判断し、記録媒体の大きさが変化するページを全ページ中の分割位置として決定する用紙サイズ判断手段を有することを特徴とする請求項１７〜２０の何れか一項に記載の画像形成システム。
【請求項２２】
前記決定手段は、前記画像形成時の記録媒体の向きの変化を判断し、記録媒体の向きが変化するページを全ページ中の分割位置として決定する用紙方向判断手段を有することを特徴とする請求項１７〜２１の何れか一項に記載の画像形成システム。
【請求項２３】
前記端末装置は、
複数の画像形成条件の中から選択する選択手段を更に備え、
前記決定手段は、前記選択手段により選択された画像形成条件の変化を判断する選択条件判断手段を有することを特徴とする請求項１７〜２２の何れか一項に記載の画像形成システム。
【請求項２４】
前記選択手段は、前記複数の画像形成条件の中から択一的に選択することを特徴とする請求項２３に記載の画像形成システム。
【請求項２５】
コンピュータに、
各ページの画像形成条件と画像データとを含む印刷データに基づいた画像形成をページ毎に記録媒体に行う画像形成機能と、
前記画像形成条件の変化するページを全ページ中の分割位置として決定する決定機能と、
前記決定された分割位置を参照して前記画像形成された記録媒体に後処理を施す後処理機能と、
を実現させるためのプログラム。
【請求項２６】
各ページの画像形成条件と画像データとを含む印刷データに基づいた画像形成をページ毎に記録媒体に行い、その記録媒体に後処理を行う画像形成装置と通信可能に接続されたコンピュータに、
後処理方法を指定する指定機能と、
前記画像形成条件の変化するページを全ページ中の分割位置として決定する決定機能と、
前記決定された分割位置を参照して前記画像形成された記録媒体に前記指定された後処理方法で後処理を施す制御を前記画像形成装置に行わせる後処理機能と、
を実現させるためのプログラム。
【請求項２７】
前記後処理機能は、前記分割位置を参照し、画像形成条件が同じ連続したページの記録媒体に同じ後処理を施す分割後処理機能を有することを特徴とする請求項２５又は２６記載のプログラム。
【請求項２８】
前記決定機能は、画像種別の変化を判断し、この画像種別が変化するページを全ページ中の分割位置として決定することを特徴とする請求項２５〜２７の何れか一項に記載のプログラム。
【請求項２９】
前記決定機能は、前記画像種別の変化として、縦画像と横画像との切り替わりを判断することを特徴とする請求項２８に記載のプログラム。
【請求項３０】
前記決定機能は、前記画像形成する記録媒体の大きさの変化を判断し、記録媒体の大きさが変化するページを全ページ中の分割位置として決定する用紙サイズ判断機能を有することを特徴とする請求項２５〜２９の何れか一項に記載のプログラム。
【請求項３１】
前記決定機能は、前記画像形成時の記録媒体の向きの変化を判断し、記録媒体の向きが変化するページを全ページ中の分割位置として決定する用紙方向判断機能を有することを特徴とする請求項２５〜３０の何れか一項に記載のプログラム。
【請求項３２】
複数の画像形成条件の中から選択する選択機能を更に実現し、
前記決定機能は、前記選択機能により選択された画像形成条件の変化を判断する選択条件判断機能を有することを特徴とする請求項２５〜３１の何れか一項に記載のプログラム。
【請求項３３】
前記選択機能は、前記複数の画像形成条件の中から択一的に選択することを特徴とする請求項３２に記載のプログラム。
【請求項３４】
各ページの画像形成条件と画像データとを含む印刷データに基づいた画像形成をページ毎に記憶媒体に行い、前記記録媒体に後処理を行う画像形成装置と通信可能に接続されたコンピュータに、
後処理の内容を指定する後処理指定機能と、
全ページ中の分割位置を自動で決定するか否かを指定する分割位置指定機能と、
前記分割位置を自動で決定する際の参照情報として、前記画像形成条件の種類を指定する条件指定機能と、
前記画像形成装置に、前記指定された前記後処理の内容と、前記分割位置を自動で決定するか否かの可否と、前記画像形成条件の種類とを送信する送信機能と、
を実現させるためのプログラム。
【請求項３５】
各ページの画像形成条件と画像データとを含む印刷データに基づいた画像形成をページ毎に記録媒体に行う画像形成ステップと、
前記画像形成条件の変化するページを全ページ中の分割位置として決定する決定ステップと、
前記決定された分割位置を参照して前記画像形成された記録媒体に後処理を後処理ステップと、
を含むことを特徴とする後処理制御方法。
【請求項３６】
前記後処理ステップは、前記分割位置を参照し、画像形成条件が同じ連続したページの記録媒体に同じ後処理を施す分割後処理ステップを有することを特徴とする請求項３５に記載の後処理制御方法。
【請求項３７】
前記決定ステップは、画像種別の変化を判断し、この画像種別が変化するページを全ページ中の分割位置として決定することを特徴とする請求項３５又は３６に記載の後処理制御方法。
【請求項３８】
前記決定ステップは、前記画像種別の変化として、縦画像と横画像との切り替わりを判断することを特徴とする請求項３７に記載の後処理制御方法。
【請求項３９】
前記決定ステップは、前記画像形成する記録媒体の大きさの変化を判断し、記録媒体の大きさが変化するページを全ページ中の分割位置として決定する用紙サイズ判断ステップを有することを特徴とする請求項３５〜３８の何れか一項に記載の後処理制御方法。
【請求項４０】
前記決定ステップは、前記画像形成時の記録媒体の向きの変化を判断し、記録媒体の向きが変化するページを全ページ中の分割位置として決定する用紙方向判断ステップを有することを特徴とする請求項３５〜３９の何れか一項に記載の後処理制御方法。
【請求項４１】
複数の画像形成条件の中から選択する選択ステップを更に含み、
前記決定ステップは、前記選択ステップにおいて選択された画像形成条件の変化を判断する選択条件判断ステップを有することを特徴とする請求項３５〜４０の何れか一項に記載の後処理制御方法。
【請求項４２】
前記選択ステップは、前記複数の画像形成条件の中から択一的に選択することを特徴とする請求項４１に記載の後処理制御方法。
【発明の詳細な説明】
【技術分野】
【０００１】
本発明は、画像形成装置、画像形成システム、プログラム及び後処理制御方法に関する。
【背景技術】
【０００２】
従来、パーソナルコンピュータ等の外部機器から送信された印刷データや、スキャナ等から読み込んで生成した印刷データに基づいて記録媒体上に画像形成する画像形成システムが知られている。また、近年の画像形成装置には、画像形成後の記録媒体に種々の加工を施す後処理機能が設けられている。具体的には、ステイプルやパンチ等により冊子を綴じる後処理機能があり、例えば、ステイプルモード選択キーによる束綴じモード選択の有無に関わらず、表紙モードや両面モードであれば２箇所綴じを行うようにステイプルの設定を自動化する画像形成システムが知られている（特許文献１参照）。
【０００３】
また、ユーザにより設定されたページ毎に記録媒体をステイプルして、１部の冊子を分割して後処理する冊子分割印刷という機能もある。ユーザは、外部機器や画像形成装置で表示される印刷設定画面の設定項目を変更することで、画像形成時の出力条件や冊子分割印刷の諸条件を設定することができる。図１２に示す後処理タグＴＧ２が選択された印刷設定画面２５１は、冊子分割印刷の詳細な設定を行うための設定画面であり、表紙ページの挿入を設定する表紙設定領域Ａ１０（Front Cover Page）、裏表紙ページの挿入を設定する裏表紙設定領域Ａ１１（Back Cover Page）及び冊子分割を設定する冊子分割設定領域Ａ１２（Per Page Setting）が含まれている。
【０００４】
ユーザは、冊子分割設定領域Ａ１２内の追加（add）ボタンＢＴ４を押下して表示されるダイアログに、ページ番号（Page Number）、ステイプルの位置及び数（Stapling）、パンチの位置や数（Punch）等の冊子分割情報を入力する。図１２の冊子分割情報Ｄ１は、１〜５ページの記録媒体の束にステイプルを行わず、冊子分割情報Ｄ２は、６及び７ページの記録媒体の束に１箇所のステイプルを行うということを表している。画像形成装置が、この冊子分割情報Ｄ１及びＤ２に基づいて後処理を行うことで、図１３に示すように１部の冊子ＢＬ３をステイプルのない用紙束Ｒ５とステイプルをした用紙束Ｒ７とに分割することができる。
【特許文献１】特開平７−１９６２３１号公報
【発明の開示】
【発明が解決しようとする課題】
【０００５】
ところで、画像形成する印刷データは、例えば、記録媒体の大きさや画像形成時の画像の向き等の画像形成条件をページ毎に設定することが可能である。しかし、例えば、縦画像と横画像とが混在する印刷データの場合、特許文献１の技術では、同じ方法（例えば、２箇所綴じ）でステイプルが為されてしまう。このため、１冊子内に異なる画像形成条件が混在する場合は、上述した冊子分割印刷においてユーザがページ毎の設定を行う必要がある。
【０００６】
しかし、冊子分割印刷は、縦画像のページ番号と、横画像のページ番号とを予めユーザが把握しておき、そのページ番号とステイプルの位置及び数等を考慮して、冊子分割する束の数分、冊子分割情報を逐一入力しなければならず、その入力操作はとても煩雑である。また、縦画像のページ、横画像のページ、縦画像のページ、・・・といったように、縦画像と横画像のページの束数が増加すると、その入力が複雑になり、冊子分割情報の設定ミスが起きやすくなる。
【０００７】
本発明は、上述した課題に鑑みて為されたものであり、その目的とするところは、異なる画像形成条件が混在する冊子を、適切に後処理して分割する画像形成装置等を実現することである。
【課題を解決するための手段】
【０００８】
以上の課題を解決するために、請求項１に記載の画像形成装置は、
各ページの画像形成条件と画像データとを含む印刷データに基づいた画像形成をページ毎に記録媒体に行う画像形成手段と、
前記画像形成条件の変化するページを全ページ中の分割位置として決定する決定手段と、
前記決定された分割位置を参照して前記画像形成された記録媒体に後処理を施す後処理手段と、
を備えることを特徴としている。
【０００９】
請求項２に記載の発明は、請求項１に記載の発明において、
前記後処理手段は、前記分割位置を参照し、画像形成条件が同じ連続したページの記録媒体に同じ後処理を施す分割後処理手段を有することを特徴としている。
【００１０】
請求項３に記載の発明は、請求項１又は２に記載の発明において、
前記決定手段は、画像種別の変化を判断し、この画像種別が変化するページを全ページ中の分割位置として決定することを特徴としている。
【００１１】
請求項４に記載の発明は、請求項３に記載の発明において、
前記決定手段は、前記画像種別の変化として、縦画像と横画像との切り替わりを判断することを特徴としている。
【００１２】
請求項５に記載の発明は、請求項１〜４の何れか一項に記載の発明において、
前記決定手段は、前記画像形成する記録媒体の大きさの変化を判断し、記録媒体の大きさが変化するページを全ページ中の分割位置として決定する用紙サイズ判断手段を有することを特徴としている。
【００１３】
請求項６に記載の発明は、請求項１〜５の何れか一項に記載の発明において、
前記決定手段は、前記画像形成時の記録媒体の向きの変化を判断し、記録媒体の向きが変化するページを全ページ中の分割位置として決定する用紙方向判断手段を有することを特徴としている。
【００１４】
請求項７に記載の発明は、請求項１〜６の何れか一項に記載の発明において、
複数の画像形成条件の中から選択する選択手段を更に備え、
前記決定手段は、前記選択手段により選択された画像形成条件の変化を判断する選択条件判断手段を有することを特徴としている。
【００１５】
請求項８に記載の発明は、請求項７に記載の発明において、
前記選択手段は、前記複数の画像形成条件の中から択一的に選択することを特徴としている。
【００１６】
請求項９に記載の発明は、
各ページの画像形成条件と画像データとを含む印刷データに基づいた画像形成をページ毎に記録媒体に行う画像形成装置と、前記画像形成された記録媒体に後処理を施す後処理装置とが通信可能に接続された具備する画像形成システムにおいて、
前記画像形成装置は、
前記画像形成条件の変化するページを全ページ中の分割位置として決定する決定手段を備え、
前記後処理装置は、
前記決定された分割位置を参照して前記画像形成された記録媒体に後処理を施す後処理手段を備えることを特徴としている。
【００１７】
請求項１０に記載の発明は、請求項９に記載の発明において、
前記後処理手段は、前記分割位置を参照し、画像形成条件が同じ連続したページの記録媒体に同じ後処理を施す分割後処理手段を有することを特徴としている。
【００１８】
請求項１１に記載の発明は、請求項９又は１０に記載の発明において、
前記決定手段は、画像種別の変化を判断し、この画像種別が変化するページを全ページ中の分割位置として決定することを特徴としている。
【００１９】
請求項１２に記載の発明は、請求項１１に記載の発明において、
前記決定手段は、前記画像種別の変化として、縦画像と横画像との切り替わりを判断することを特徴としている。
【００２０】
請求項１３に記載の発明は、請求項９〜１２の何れか一項に記載の発明において、
前記決定手段は、前記画像形成する記録媒体の大きさの変化を判断し、記録媒体の大きさが変化するページを全ページ中の分割位置として決定する用紙サイズ判断手段を有することを特徴している。
【００２１】
請求項１４に記載の発明は、請求項９〜１３の何れか一項に記載の発明において、
前記決定手段は、前記画像形成時の記録媒体の向きの変化を判断し、記録媒体の向きが変化するページを全ページ中の分割位置として決定する用紙方向判断手段を有することを特徴している。
【００２２】
請求項１５に記載の発明は、請求項９〜１４の何れか一項に記載の発明において、
前記画像形成装置は、
複数の画像形成条件の中から選択する選択手段を更に備え、
前記決定手段は、前記選択手段により選択された画像形成条件の変化を判断する選択条件判断手段を有することを特徴としている。
【００２３】
請求項１６に記載の発明は、請求項１５に記載の発明において、
前記選択手段は、前記複数の画像形成条件の中から択一的に選択することを特徴としている。
【００２４】
請求項１７に記載の発明は、
端末装置と画像形成装置とが通信可能に接続された画像形成システムにおいて、
前記端末装置は、後処理方法を指定する指定手段を備え、
前記画像形成装置は、
各ページの画像形成条件と画像データとを含む印刷データに基づいた画像形成をページ毎に記録媒体に行う画像形成手段と、
前記画像形成条件の変化するページを全ページ中の分割位置として決定する決定手段と、
前記決定された分割位置を参照して前記画像形成された記録媒体に前記指定された後処理方法で後処理を施す後処理手段と、
を備えることを特徴としている。
【００２５】
請求項１８に記載の発明は、請求項１７に記載の発明において、
前記後処理手段は、前記分割位置を参照し、画像形成条件が同じ連続したページの記録媒体に同じ後処理を施す分割後処理手段を有することを特徴としている。
【００２６】
請求項１９に記載の発明は、請求項１７又は１８に記載の発明において、
前記決定手段は、画像種別の変化を判断し、画像種別が変化するページを全ページ中の分割位置として決定することを特徴としている。
【００２７】
請求項２０に記載の発明は、請求押１９に記載の発明において、
前記決定手段は、前記画像種別の変化として、縦画像と横画像との切り替わりを判断することを特徴としている。
【００２８】
請求項２１に記載の発明は、請求項１７〜２０の何れか一項に記載の発明において、
前記決定手段は、前記画像形成する記録媒体の大きさの変化を判断し、記録媒体の大きさが変化するページを全ページ中の分割位置として決定する用紙サイズ判断手段を有することを特徴としている。
【００２９】
請求項２２に記載の発明は、請求項１７〜２１の何れか一項に記載の発明において、
前記決定手段は、前記画像形成時の記録媒体の向きの変化を判断し、記録媒体の向きが変化するページを全ページ中の分割位置として決定する用紙方向判断手段を有することを特徴としている。
【００３０】
請求湖２３に記載の発明は、請求項１７〜２２の何れか一項に記載の発明において、
前記端末装置は、
複数の画像形成条件の中から選択する選択手段を更に備え、
前記決定手段は、前記選択手段により選択された画像形成条件の変化を判断する選択条件判断手段を有することを特徴としている。
【００３１】
請求項２４に記載の発明は、請求項２３に記載の発明において、
前記選択手段は、前記複数の画像形成条件の中から択一的に選択することを特徴としている。
【００３２】
請求項２５に記載のプログラムは、コンピュータに、
各ページの画像形成条件と画像データとを含む印刷データに基づいた画像形成をページ毎に記録媒体に行う画像形成機能と、
前記画像形成条件の変化するページを全ページ中の分割位置として決定する決定機能と、
前記決定された分割位置を参照して前記画像形成された記録媒体に後処理を施す後処理機能と、
を実現させることを特徴としている。
【００３３】
請求項２６に記載のプログラムは、
各ページの画像形成条件と画像データとを含む印刷データに基づいた画像形成をページ毎に記録媒体に行い、その記録媒体に後処理を行う画像形成装置と通信可能に接続されたコンピュータに、
後処理方法を指定する指定機能と、
前記画像形成条件の変化するページを全ページ中の分割位置として決定する決定機能と、
前記決定された分割位置を参照して前記画像形成された記録媒体に前記指定された後処理方法で後処理を施す制御を前記画像形成装置に行わせる後処理機能と、
を実現させることを特徴としている。
【００３４】
請求項２７に記載の発明は、請求項２５又は２６に記載の発明において、
前記後処理機能は、前記分割位置を参照し、画像形成条件が同じ連続したページの記録媒体に同じ後処理を施す分割後処理機能を有することを特徴としている。
【００３５】
請求項２８に記載の発明は、請求項２５〜２７の何れか一項に記載の発明において、
前記決定機能は、画像種別の変化を判断し、この画像種別が変化するページを全ページ中の分割位置として決定することを特徴としている。
【００３６】
請求項２９に記載の発明は、請求項２８に記載の発明において、
前記決定機能は、前記画像種別の変化として、縦画像と横画像との切り替わりを判断することを特徴としている。
【００３７】
請求項３０に記載の発明は、請求項２５〜２９の何れか一項に記載の発明において、
前記決定機能は、前記画像形成する記録媒体の大きさの変化を判断し、記録媒体の大きさが変化するページを全ページ中の分割位置として決定する用紙サイズ判断機能を有することを特徴としている。
【００３８】
請求項３１に記載の発明は、請求項２５〜３０の何れか一項に記載の発明において、
前記決定機能は、前記画像形成時の記録媒体の向きの変化を判断し、記録媒体の向きが変化するページを全ページ中の分割位置として決定する用紙方向判断機能を有することを特徴としている。
【００３９】
請求項３２に記載の発明は、請求項２５〜３１の何れか一項に記載の発明において、
複数の画像形成条件の中から選択する選択機能を更に実現し、
前記決定機能は、前記選択機能により選択された画像形成条件の変化を判断する選択条件判断機能を有することを特徴としている。
【００４０】
請求項３３に記載の発明は、請求項３２に記載の発明において、
前記選択機能は、前記複数の画像形成条件の中から択一的に選択することを特徴としている。
【００４１】
請求項３４に記載のプログラムは、
各ページの画像形成条件と画像データとを含む印刷データに基づいた画像形成をページ毎に記憶媒体に行い、前記記録媒体に後処理を行う画像形成装置と通信可能に接続されたコンピュータに、
後処理の内容を指定する後処理指定機能と、
全ページ中の分割位置を自動で決定するか否かを指定する分割位置指定機能と、
前記分割位置を自動で決定する際の参照情報として、前記画像形成条件の種類を指定する条件指定機能と、
前記画像形成装置に、前記指定された前記後処理の内容と、前記分割位置を自動で決定するか否かの可否と、前記画像形成条件の種類とを送信する送信機能と、
を実現させることを特徴としている。
【００４２】
請求項３５に記載の後処理制御方法は、
各ページの画像形成条件と画像データとを含む印刷データに基づいた画像形成をページ毎に記録媒体に行う画像形成ステップと、
前記画像形成条件の変化するページを全ページ中の分割位置として決定する決定ステップと、
前記決定された分割位置を参照して前記画像形成された記録媒体に後処理を後処理ステップと、
を含むことを特徴としている。
【００４３】
請求項３６に記載の発明は、請求項３５に記載の発明において、
前記後処理ステップは、前記分割位置を参照し、画像形成条件が同じ連続したページの記録媒体に同じ後処理を施す分割後処理ステップを有することを特徴としている。
【００４４】
請求項３７に記載の発明は、請求項３５又は３６に記載の発明において、
前記決定ステップは、画像種別の変化を判断し、この画像種別が変化するページを全ページ中の分割位置として決定することを特徴としている。
【００４５】
請求項３８に記載の発明は、請求項３７に記載の発明において、
前記決定ステップは、前記画像種別の変化として、縦画像と横画像との切り替わりを判断することを特徴としている。
【００４６】
請求項３９に記載の発明は、請求項３５〜３８の何れか一項に記載の発明において、
前記決定ステップは、前記画像形成する記録媒体の大きさの変化を判断し、記録媒体の大きさが変化するページを全ページ中の分割位置として決定する用紙サイズ判断ステップを有することを特徴としている。
【００４７】
請求項４０に記載の発明は、請求項３５〜３９の何れか一項に記載の発明において、
前記決定ステップは、前記画像形成時の記録媒体の向きの変化を判断し、記録媒体の向きが変化するページを全ページ中の分割位置として決定する用紙方向判断ステップを有することを特徴としている。
【００４８】
請求項４１に記載の発明は、請求項３５〜４０の何れか一項に記載の発明において、
複数の画像形成条件の中から選択する選択ステップを更に含み、
前記決定ステップは、前記選択ステップにおいて選択された画像形成条件の変化を判断する選択条件判断ステップを有することを特徴としている。
【００４９】
請求項４２に記載の発明は、請求項４１に記載の発明において、
前記選択ステップは、前記複数の画像形成条件の中から択一的に選択することを特徴としている。
【発明の効果】
【００５０】
請求項１、９、１７、２５、２６、３４及び３５に記載の発明によれば、画像形成条件が変化するページを分割位置とし、当該分割位置を参照して記録媒体に後処理を施すため、異なる画像形成条件が混在する冊子を、適切に後処理することができる。
【００５１】
請求項２、１０、１８、２７及び３６に記載の発明によれば、画像形成条件が同じ連続したページの記録媒体に同じ後処理を施すため、異なる画像形成条件が混在する冊子を、同じ画像形成条件の記録媒体毎に適切に分割することができる。
【００５２】
請求項３、１１、１９、２８及び３７に記載の発明によれば、画像種別が変化するページを分割位置として決定するため、異なる画像種別が混在する冊子を適切に後処理することができる。
【００５３】
請求項４、１２、２０、２９及び３８に記載の発明によれば、縦画像と横画像との切り替わりを画像種別の変化として判断するため、縦画像と横画像とが含まれる冊子を、縦画像のページの記録媒体と、横画像のページの記録媒体とに分割して適切に後処理することができる。
【００５４】
請求項５、１３、２１、３０及び３９に記載の発明によれば、画像形成する記録媒体の大きさが変化するページを分割位置として決定するため、異なる大きさの記録媒体が混在する冊子をその大きさ毎に分割して適切に後処理することができる。
【００５５】
請求項６、１４、２２、３１及び４０に記載の発明によれば、画像形成する記録媒体の向きが変化するページを分割位置として決定するため、記録媒体の向きが異なる冊子をその向き毎に分割して適切に後処理することができる。
【００５６】
請求項７、１５、２３、３２及び４１に記載の発明によれば、選択された画像形成条件が変化するページを分割位置として決定するため、ユーザは、分割位置の判断基準を、所望の画像形成条件の中から選択することができる。
【００５７】
請求項８、１６、２４、３３及び４２に記載の発明によれば、ユーザは、分割位置の判断基準を、所望の画像形成条件の中から択一的に選択することができる。
【発明を実施するための最良の形態】
【００５８】
以下、本発明の画像形成装置を電子写真方式の複合機に、端末装置をホスト端末にそれぞれ適用した場合の画像形成システムの実施形態について図を参照して詳細に説明する。尚、本実施形態において画像形成装置を複合機に適用することとするが、例えば、プリンタ、ＦＡＸ、複写機等の記録媒体上に画像形成するものであれば適宜適用可能である。
【００５９】
〔画像形成システムの概要〕
先ず、画像形成システムＳＹの概要について説明する。図１は、画像形成システムＳＹのシステム構成の一例を示す図である。図１に示すように、画像形成システムＳＹは、複合機１００とホスト端末２００とがＬＡＮ（Local Area Network）やＷＡＮ（Wide Area Network）等の通信ネットワークＮを介して接続され、データ通信可能に構成されている。但し、複合機１００とホスト端末２００との通信方式は、これに限られず、例えば、ＵＳＢ（Universal  Serial Bus）やパラレルポート等で直接接続としてもよいし、無線方式により通信接続することとしてもよい。
【００６０】
複合機１００は、ホスト端末２００から送信された印刷データ２９２（図４参照）や、スキャナ部３０から読み込まれた印刷データに基づいて、ページ毎の画像形成を記録媒体としての転写紙（記録紙）上に行う。
【００６１】
ホスト端末２００は、複合機１００に対応するプリンタドライバ２９１、文書データや画像データを作成するアプリケーションソフト等が搭載された一般的なパーソナルコンピュータにより構成される。尚、端末装置をホスト端末２００に適用することとするが、例えば、ＰＤＡ（Personal Digital Assistant）等の電子機器にも適宜適用可能である。
【００６２】
ユーザが、ホスト端末２００側で作成した印刷対象の文書データや画像データの印刷指示を入力部２３０のマウス２３２を操作して行うと、当該データがプリンタドライバ２９１により印刷データ２９２として複合機１００に通信ネットワークＮを介して送信される。また、この印刷の開始指示の際に、ユーザは、ステイプル及びパンチの位置や数等の後処理の内容を指定することができる。複合機１００は、この印刷データ２９２を受信して、当該データに基づいて転写紙上に画像形成して排紙トレイに排出する。
【００６３】
図２は、ユーザがホスト端末２００で印刷指示を行う際に表示部２５０に表示される印刷設定画面２５１の一例である。図２に示すように基本設定タグＴＧ１が選択された印刷設定画面２５１は、用紙設定領域Ａ１、出力設定領域Ａ２、後処理設定領域Ａ３及び出力イメージ領域Ａ４を有して構成される。
【００６４】
用紙設定領域Ａ１は、用紙（転写紙）に対する印刷方向Ａ１１（Orientation）、原稿サイズ（Original Size）、出力用紙のサイズＡ１３（Output Size）、ズーム率（Zoom）及び給紙トレイ（Paper Source）等を設定する領域である。印刷方向Ａ１１では、縦画像（ポートレート画像）と横画像（ランドスケープ画像）との何れかが選択可能であり、印刷データ２９２の印刷の向き３１４と同一の方向が設定される。出力用紙のサイズＡ１３では、印刷データ２９２の転写紙サイズ３１３と同じサイズ（Same as original size）やＡ４、Ａ３等が選択可能である。従って、印刷時の設定として、転写紙の大きさと方向とが設定可能であり、例えば、同じＡ４サイズの大きさでも縦向きと横向きの異なる方向を設定できる。
【００６５】
出力設定領域Ａ２は、印刷出力かファイル出力かを設定する出力方法（Output Method）、部数（Copies）、排紙トレイ（Output Tray）、フェイスダウンやフェイスアップ等の排紙モード（Output Order）、ソート（Collate）及び仕分け（Offset）等を設定する領域である。出力イメージ領域Ａ４は、用紙設定領域Ａ１、出力設定領域Ａ２及び後処理設定領域Ａ３において設定された設定内容で画像形成を行った場合の出力イメージを表示する領域である。
【００６６】
後処理設定領域Ａ３は、ステイプルやパンチ等の後処理を行う位置である後処理位置としての綴じ位置（Binding Position）、ステイプル（Stapling）の有無とその数、パンチ（Punch）の有無とパンチ穴の数等を設定する領域である。ユーザは、ステイプルチェックＣ１をＯＮにして、ステイプル方法設定領域Ａ３０でステイプルの数等を設定したり、パンチチェックＣ２をＯＮにして、パンチ方法設定領域Ａ３２でパンチ孔の数等を設定したりすることで、後処理の方法を指定する。
【００６７】
また、印刷設定画面２５１には、ＯＫボタンＢＴ１、キャンセルボタンＢＴ２及び自動分割設定ボタンＢＴ３が表示されている。ユーザは、ＯＫボタンＢＴ１を押下して印刷設定画面２５１で設定した内容で印刷出力を開始したり、キャンセルボタンＢＴ２で設定を中断したりする。自動分割設定ボタンＢＴ３は、冊子分割印刷の２つの分割モードである自動分割モードと指定分割モードのうちの自動分割モードの指定・設定を行うため自動分割設定画面２５２を表示させるためのボタンである。
【００６８】
自動分割モードとは、画像形成した連続した全ページを、画像形成条件が変化するページで自動的に分割し、この分割した転写紙の束毎に同じ後処理を施す動作モードである。ここで、ページを分割するとは、複数のページを１ページ以上のグループに区分することとをいう。ユーザは、自動分割モードを設定する場合、ステイプルチェックＣ１、パンチチェックＣ２又は図１２の冊子分割チェックＣ１０をＯＮにした後に、自動分割設定ボタンＢＴ３を押下することで、図３（ａ）の自動分割設定画面２５２を表示させて設定する。これらのチェックがＯＦＦの場合は、自動分割設定ボタンＢＴ３は無効となる。
【００６９】
自動分割設定画面２５２は、分割基準設定領域Ｅ１と、後処理実行切替チェックＣ３と、後処理実行条件設定領域Ｅ２とを有して構成される。分割基準設定領域Ｅ１は、自動分割を行う際の参照情報としての分割基準を指定する選択であり、設定なし（Nothing）、画像種別（Image Kind）及び用紙サイズ（Paper Size）が選択可能である。分割基準はデフォルトでは「設定なし」に設定されており、この「設定なし」が選択・設定された場合、冊子分割印刷の分割モードは他方の指定分割モードとなる。
【００７０】
指定分割モードは、ユーザにより設定・指定されたページ毎に記録媒体に後処理を施して、１部の冊子を分割する動作モードであり、上述した図１２の印刷設定画面２５１においてページ範囲毎に後処理の方法を指定・設定し、設定されたページ範囲毎に冊子が分割される。従って、分割基準として「画像種別」及び「用紙サイズ」が指定された場合に、冊子分割印刷は自動分割モードとなる。
【００７１】
後処理実行切替チェックＣ３は、自動分割モードの際に、１部の冊子を後処理を実行する部分と実行しない部分とに分割するか否かを切り替える領域である。後処理実行条件設定領域Ｅ２は、後処理実行切替チェックＣ３がＯＮされた場合に、その後処理を実行する部分の条件を選択する領域であり、その設定可能な条件は、分割基準設定領域Ｅ１で選択された分割基準に応じて変わる。
【００７２】
図３（ａ）のように後処理実行切替チェックＣ３がＯＦＦの場合は、後処理実行条件設定領域Ｅ２は無効化され、図３（ｂ）のようにＯＮされた場合に有効化される。例えば、ユーザが、分割基準設定領域Ｅ１をマウス２３２でクリックすると、図３（ｂ）のような分割基準リストＬＳＴ１が表示される。ユーザが、選択手段としての入力部２３０を操作して当該リストＬＳＴ１の中から、例えば画像種別を選択すると、ページ設定情報２９３内の画像種別（画像形成条件）が縦画像から横画像又は横画像から縦画像に変化する所を区切りとしてステイプル等の後処理が施されて、一部の冊子が分割される。また、分割基準リストＬＳＴ１から用紙サイズを選択した場合は、画像形成した転写紙のサイズ（画像形成条件）が変化する所を区切りとして後処理が施されて、一部の冊子が分割される。
【００７３】
一方、ユーザは、後処理実行切替チェックＣ３をＯＮにすると、図３（ｂ）のように分割基準設定領域Ｅ２が選択可能となる。ユーザが、例えば、分割基準設定領域Ｅ１で画像種別を選択すると、後処理実行条件設定領域Ｅ２では縦画像（ポートレート画像；Portrait）及び横画像（ランドスケープ画像；Landscape）が選択可能となり、縦画像を選択した場合は、縦画像のページに後処理が施され、横画像のページには後処理が施されなくなる。このため、図１２のように冊子分割印刷の指定分割モードでページ毎の細かい冊子分割情報を入力しなくとも、全ページ内の画像形成条件の変化に基づいて自動的に冊子分割が行われるようになる。
【００７４】
〔ホスト端末の構成〕
次に、図４のブロック図を用いてホスト端末２００の機能構成について説明する。図４によれば、ホスト端末２００は、ＣＰＵ（Central Processing Unit）２１０、入力部２３０、表示部２５０、Ｉ／Ｆ部２７０及び記憶部２９０を備えて構成される。
【００７５】
ＣＰＵ２１０は、入力される指示に応じて所定のプログラムに基づいた処理を実行し、各機能部への指示やデータの入出力を行う。具体的には、ＣＰＵ２１０は、入力部２３０から入力される操作信号に応じて記憶部２９０に格納されたプログラムを読み出し、当該プログラムに従って処理を実行する。そして、処理結果を表示部２５０に表示させる。
【００７６】
入力部２３０は、カーソルキー、テンキー及び各種ファンクションキー等を有するキーボードやマウス２３２等のポインティングデバイスを備え、押下されたキーの押下信号や、マウス２３２の位置信号等をＣＰＵ２１０に出力する。本実施形態において、入力部２３０は、図２の印刷設定画面２５１でステイプルやパンチ等の後処理方法を指定する指定手段として機能する。
【００７７】
表示部２５０は、ＣＲＴ（Cathode-ray Tube）やＬＣＤ（Liquid Crystal Display）等により構成され、ＣＰＵ２１０から入力される表示データに基づいて各種画面を表示出力する。送信機能として働くＩ／Ｆ部２７０は、通信ネットワークＮに接続してデータ通信するための機能部であり、モデムやＬＡＮインターフェイス、ＵＳＢ等を備えて構成される。
【００７８】
記憶部２９０は、ホスト端末２００の起動時に初期化を行うＩＰＬプログラムや各種初期設定値を記憶するＲＯＭ（Read Only Memory）、プログラムの実行にかかるデータを一時的に記憶するＲＡＭ（Random Access Memory）、各種データの読み書きが可能な不揮発性メモリ等の記憶媒体を備えて構成され、これらの記憶媒体への読み書きを行う機能部である。
【００７９】
図４によれば、記憶部２９０は、プリンタドライバ２９１、印刷データ２９２印刷設定情報２９４を記憶している。プリンタドライバ２９１は、複合機１００の制御を行うためのプログラムであり、図２及び１２に示した印刷設定画面２５１の表示や、当該印刷設定画面２５１の設定内容の保存、印刷データ２９２及び印刷設定情報２９４の複合機１００への転送などを実現する。
【００８０】
印刷データ２９２は、例えば、文書作成用のアプリケーションプログラム等によりユーザによって作成された文書等を変換した画像データ２９５と、各ページの画像形成条件としてのページ設定情報２９３とを有して構成される。この印刷データ２９２に基づいて画像形成した全ページ分の１部の記録媒体を「冊子」という。
【００８１】
ページ設定情報２９３は、複合機１００が印刷データ２９２に基づいて画像形成する際のページ毎の設定情報であり、図５（ａ）に示すように画像データ２９５に基づいて印刷した際の全ページ数３００と、ページ範囲３１０毎の印刷条件３１１とを有して構成される。印刷条件３１１には、画像種別３１２（縦画像又は横画像）と転写紙サイズ３１３（Ａ４サイズやＡ３サイズ等）とが含まれ、ユーザに予め設定さたり、図２で入力された印刷設定とアプリケーションで作成したデータに基づいて作成される。
【００８２】
印刷設定情報２９４は、印刷設定画面２５１で設定された設定内容を表すデータであり、通常印刷４１０及び冊子分割印刷４２０の設定データを有して構成される。通常印刷４１０の設定データとしては、ステイプル有無４１１、ステイプル数４１２、パンチ有無４１３、パンチ穴数４１４及び綴じ位置４１５があり、図２の後処理設定領域Ａ３において設定された内容がそれぞれ記憶される。
【００８３】
冊子分割印刷４２０の設定データとしては、冊子分割指定有無４２１、分割モード４２２、指定分割設定４２３及び自動分割設定４３０がある。冊子分割指定有無４２１は、冊子分割印刷をするか否かの設定データであり、図１２の指定分割モードチェックＣ１０がＯＮされた場合、自動分割設定画面２５２の分割基準設定領域Ｅ１で「画像種別」又は「転写紙サイズ」が選択された場合に、「冊子分割あり」として記憶される。
【００８４】
分割モード４２２は、上述した冊子分割印刷の動作モードであり、分割基準設定領域Ｅ１で「設定なし」が選択された場合に「指定分割モード」、「画像種別」又は「転写紙サイズ」が選択された場合に「自動分割モード」が記憶される。
【００８５】
指定分割設定４２３は、指定分割モードの際の設定データであり、図１２のようにユーザに入力された冊子分割情報Ｄ１，Ｄ２に基づいてステイプル有無４２５、ステイプル数４２６、パンチ有無４２７、パンチ穴数４２８及び綴じ位置４２９がページ範囲４２４毎に記憶される。
【００８６】
自動分割設定４３０は、自動分割モードの際の設定データであり、図３の自動分割設定画面２５２において設定された分割基準４３１と、後処理実行条件４３２とを有して構成される。分割基準４３１は、分割基準設定領域Ｅ１においてユーザに選択された「設定なし」、「画像種別」及び「転写紙サイズ」の何れかが記憶され、デフォルトでは「設定なし」が記憶される。後処理実行条件４３２は、後処理実行条件設定領域Ｅ２におけるユーザの選択に応じて、画像種別の「縦画像」及び「横画像」や、転写紙サイズの「Ａ４」や「Ａ３」等が記憶され、後処理実行切替チェックＣ３がＯＦＦの際には「なし」が記憶される。
【００８７】
ＣＰＵ２１０は、印刷設定画面２５１や自動分割設定画面２５２内でユーザにより設定された内容を印刷設定情報２９４として記憶し、ユーザにより印刷指示（例えば、ＯＫボタンＢＴ１の押下操作）が為されたことを検知すると、印刷データ２９２と印刷設定情報２９４とを複合機１００にＩ／Ｆ２７０を介して送信する。
【００８８】
〔複合機の構成〕
次に、図６及び７を用いて複合機１００の機能構成について説明する。図６は、複合機１００の外観及び内部構成を模式化した図であり、図７は、複合機１００の機能構成の一例を示すブロック図である。
【００８９】
図６に示すように複合機１００は、操作表示部２０及びＡＤＦ（Auto Document Feeder；自動原稿給送装置）部４０が設けられた本体部１と、これにオプション接続される後処理装置（ＦＮＳ；フィニッシャー）２及び大容量トレイユニット３により構成されている。また、図７によれば、複合機１００は、制御部１０、操作表示部２０、スキャナ部３０、プリンタ部５０、コントローラ６０、後処理装置２及び大容量トレイユニット３を備えて構成される。
【００９０】
制御部１０は、画像制御ＣＰＵ１１、プログラムメモリ１２、ＲＡＭ（Random Access Memory）１３、不揮発メモリ１４、読み取り処理部１８、ＤＲＡＭ（Dynamic Random Access Memory）制御ＩＣ１５、圧縮ＩＣ１６、伸長ＩＣ１７、画像メモリ２５及び書き込み処理部１９を備えて構成されている。
【００９１】
画像制御ＣＰＵ１１は、複合機１００を構成する各機能部を統括的に制御する機能部であり、操作表示部２０から出力される操作信号に基づいてプログラムメモリ１２に記憶されているシステムプログラムや給紙情報作成プログラムを始めとする各種処理プログラムを読み出してＲＡＭ１３に展開することで、当該プログラムに従った処理を行う。
【００９２】
具体的に、画像制御ＣＰＵ１１は、コントローラ６０を介してホスト端末２００から送信された印刷設定情報２９４と印刷データ２９２とを画像メモリ２５の圧縮メモリ２６に記憶させる。また、画像制御ＣＰＵ１１は、プログラムメモリ１２から読み出したプログラムに従って後述する給紙情報作成処理を行い、印刷データ２９２に含まれるページ設定情報２９３等に基づいて給紙情報テーブル１３０を作成して、後処理装置２に転送する。給紙情報テーブル１３０は、転写紙を給紙する給紙トレイや後処理装置２において施す後処理の方法等をページ毎に設定するデータテーブルであり、その詳細については後述する。
【００９３】
プログラムメモリ１２は、ＲＯＭ等により構成され、システムプログラムや本実施形態に係る給紙情報作成プログラム等の各種プログラムを記憶する。ＲＡＭ１３は、画像制御ＣＰＵ１１が実行する各種プログラムやこれらのプログラムの実行に係るデータ等を一時的に保管するメモリ領域を備え、例えば、ホスト端末２００から受信したページ設定情報２９３及び印刷設定情報２９４等を記憶する。不揮発メモリ１４は、データの読み書き可能な半導体メモリ等により構成され、複合機１００に係る各種設定データ等を記憶する。
【００９４】
読み取り処理部１８は、スキャナ部３０により読み取られたアナログ画像信号をデジタル画像データに変換してＤＲＡＭ制御ＩＣ１５へ出力する。ＤＲＡＭ制御ＩＣ１５は、画像制御ＣＰＵ１１の制御に基づいて、読み取り処理部１８から入力された画像データ、コントローラ６０から入力された画像データを圧縮ＩＣ１６により圧縮させて、圧縮メモリ２６に圧縮画像データとして書き込んで一時的に記憶させる。
【００９５】
また、画像制御ＣＰＵ１１から画像データの出力の指示があると、ＤＲＡＭ制御ＩＣ１５は、圧縮メモリ２６に記憶された圧縮画像データを伸長ＩＣ１７により伸長させて、一旦ページメモリ２７に記憶させる。そして、画像制御ＣＰＵ１１から印刷出力が指示されると、ＤＲＡＭ制御ＩＣ１５はページメモリ２７から非圧縮の画像データをページ単位で読み出して書き込み処理部１９に出力する。また、ＤＲＡＭ制御ＩＣ１５は、ＰＣＩバスＢＳ１を介してコントローラ６０から入力された制御データを画像制御ＣＰＵ１１に出力する。
【００９６】
圧縮ＩＣ１６及び伸長ＩＣ１７それぞれは、ＤＲＡＭ制御ＩＣ１５の制御により画像データの圧縮処理及び伸長処理を行うＩＣである。画像メモリ２５は、ＤＲＡＭにより構成され、圧縮メモリ２６及びページメモリ２７を有している。圧縮メモリ２６は、ＤＲＡＭ制御ＩＣ１５の制御により、圧縮ＩＣ１６で圧縮された画像データを一時的に記憶する。ページメモリ２７は、印刷出力前にプリント出力対象の非圧縮の画像データを一時的に格納するためのメモリである。書き込み処理部１９は、伸長ＩＣ１７から入力される画像データに基づくＰＷＭ(Pulse Width Modulation)信号を生成し、プリンタ部５０へ出力する。
【００９７】
操作表示部２０は、操作表示ＣＰＵ２１、ＬＣＤ２２及び操作パネル２３を備えて構成されている。操作表示ＣＰＵ２１は、画像制御ＣＰＵ１１の指示に基づいてＬＣＤ２２の表示制御を行うと共に、操作パネル２３から入力される操作信号を画像制御ＣＰＵ１１に出力する。
【００９８】
ＬＣＤ２２は、操作表示ＣＰＵ２１から入力される表示信号の指示に従って画面上に各種設定画面や画像の状態表示、各機能の動作状況等の表示を行う。操作パネル２３は、操作キーやタッチパネルを有して構成され、当該タッチパネルはＬＣＤ２２と一体的に形成される。操作パネル２３は、ユーザの操作キーの押下操作やタッチパネルの当接操作に応じた操作信号を操作表示ＣＰＵ２１へ出力する。
【００９９】
スキャナ部３０は、スキャナ制御部３１と、スキャナ３２とを備えて構成されている。スキャナ制御部３１は、画像制御ＣＰＵ１１の指示に基づいてＣＣＤ等を駆動制御する。スキャナ３２は、プラテンガラスと、ＣＣＤ（Charge Coupled Device）と、光源とを備え、光源から原稿へ照明走査した光の反射光をＣＣＤにより結像して光電変換することにより原稿の画像を読み取り、その画像のアナログ画像信号を読み取り処理部１８へ出力する。
【０１００】
図７に示すＡＤＦ部４０は、画像制御ＣＰＵ１１の指示に基づいて、原稿トレイＴ１に載置された原稿をスキャナ部３０のプラテンガラス上に１枚ずつ自動給送する。
【０１０１】
画像形成手段であるプリンタ部５０は、プリンタ制御部５１、ＬＤ（Laser Diode）８１、感光体ドラム８２、帯電器８３、現像器８４、転写部８５、定着器８６、転写紙を供給する給紙トレイ８７ａ〜８７ｅ、転写紙を搬送する搬送経路（図６に太線で示す）に沿って転写紙を搬送するための給紙ローラ、搬送路切換板９０及び反転部９１等を備えて構成されている。尚、本実施形態においては、給紙トレイ８７ａ〜８７ｅに、それぞれ大きさ又は給紙する向きが異なる転写紙を収納している。プリンタ制御部５１は、画像制御ＣＰＵ１１の指示に基づいて、プリンタ部５０内の各部の動作を制御すると共に、画像制御ＣＰＵ１１及びＦＮＳ制御部７１間のデータ通信の中継を行う。
【０１０２】
具体的にプリンタ制御部５１は、例えば、Ａ４の縦画像であれば給紙トレイ８７ａから、Ａ４の横画像であれば給紙トレイ８７ｂからといったように、ページ範囲３１０毎の画像種別３１２及び転写紙サイズ３１３に応じた転写紙を給紙トレイ８７ａ〜８７ｅの何れかから給紙して、当該転写紙を搬送経路上に搬送する。そして、感光体ドラム８２表面を帯電器８３により帯電させ、書き込み処理部１９から入力されたＰＷＭ信号に基づいてＬＤ８１によって感光体ドラム８２表面にレーザ光を照射することにより静電潜像を形成し、感光体ドラム８２表面の静電潜像を含む領域に現像器８４によりトナーを付着させる。
【０１０３】
次いで、給紙トレイ８７ａ〜８７ｅの何れかから搬送された転写紙に転写部８５がトナーを転写して画像を形成し、定着器８６で定着させた後、後処理装置２へ排出する。両面印刷を行う場合には、片面が印刷された転写紙を搬送路切換板９０、反転経路を介して反転部９１に搬送し、反転部９１により表裏を反転して感光体ドラム８２に再搬送して反転後の表面に画像を形成し定着後、後処理装置２へ排出する。
【０１０４】
後処理手段としての後処理装置２は、ＦＮＳ制御部７１、フィニッシャーであるステイプラ７２及びパンチユニット７３を備えて構成される。ステイプラ７２は、本体部１から搬送された転写紙を一旦スタッカに蓄えた後に、ステイプルを行って転写紙を綴じるステイプル処理を行う。パンチユニット７３は、本体部１から搬送された転写紙を当該ユニット内で一旦停止させてパンチ穴を開けるパンチ処理を行う。
【０１０５】
ＦＮＳ制御部７１は、プリンタ制御部５１を介して画像制御ＣＰＵ１１から入力される給紙情報テーブル１３０に基づいてステイプラ７２及びパンチユニット７３の制御を行い、搬送された転写紙にステイプル処理又はパンチ処理を行わせる。そして、その転写紙を給紙情報テーブル１３０で指定されたメイントレイＴａ１及びサブトレイＴａ２の何れかに排出する。
【０１０６】
コントローラ６０は、コントローラ制御ＣＰＵ６１、Ｉ／Ｆ部６２、ＤＲＡＭ制御ＩＣ６３及び画像メモリ６４を備えて構成される。Ｉ／Ｆ部６２は、ＮＩＣ（Network Interface Card）やモデム等の通信ネットワークＮに接続するための通信用インターフェイスであり、ホスト端末２００とのデータの送受信を行う。
【０１０７】
コントローラ制御ＣＰＵ６１は、Ｉ／Ｆ部６２を介して入力された印刷データ２９２を所定のページ記述言語によって複合機１００で印刷可能なデータ形式の画像データに変換し、ＤＲＡＭ制御ＩＣ６３に出力する。ＤＲＡＭ制御ＩＣ６３は、画像メモリ６４への画像データの読み書きや、本体部１側のＤＲＡＭ制御ＩＣ１５とのデータの受け渡しを制御する。
【０１０８】
図８は、給紙情報テーブル１３０のデータ構成の一例を示す図である。図８に示すように、給紙情報テーブル１３０は、転写紙サイズ、給紙トレイ、後処理情報、区切り情報、フィニッシャー及び排紙トレイをページ毎に対応付けて蓄積記憶するデータテーブルである。後処理情報は、各ページの転写紙に施す後処理の方法を示すデータである。区切り情報は、転写紙が自動分割の区切りのページ（分割位置）であるか否かを示すデータであり、デフォルトでは「なし」が設定される。
【０１０９】
例えば、図８（ｂ）の給紙情報テーブル１３０においては、１ページ目の印刷を“Ａ４”サイズの転写紙を“トレイ１”の給紙トレイから給紙して行い、印刷後の転写紙をステイプラ７２に搬送して１カ所のステイプルを行った後にメイントレイＴａ１から排出することを表している。また、５ページ分の給紙のうち、１〜３ページには“１箇所のステイプル”を行い、４及び５ページにはステイプルを行わないことを表している。また、３ページ目の区切り情報“あり”は、連続した５ページ中ので、その３ページ目の転写紙が冊子分割の区切りのページであることを表しており、１〜３ページと４〜５ページとの２つのグループに区分されることを表している。本体部１は、転写紙を後処理装置２に搬送するたびに、その転写紙のページの対応する給紙情報を後処理装置２に送信する。
【０１１０】
分割後処理手段としてのＦＮＳ制御部７１は、本体部１から受信した給紙情報に後処理情報が設定されていない場合は、そのまま排紙先情報で示される排紙トレイに排紙するが、後処理情報の方法が設定されている場合は、排紙先情報のフィニッシャーに転写紙を搬送して一旦蓄積し、区切り情報が“あり”のページまで蓄積する。そして、例えば、給紙情報の給紙トレイが縦方向に給紙する給紙トレイであった場合は、図１１（ｂ）の用紙束Ｒ１の長手方向左上にステイプルし、横方向に給紙する給紙トレイであった場合は、用紙束Ｒ２の長手方向の右上にステイプルを行うといったように、給紙情報に基づいた後処理を施してその蓄積した転写紙を束ねる。
【０１１１】
〔画像形成システムの具体的な動作例〕
次に、図９及び１０のフローチャートを用いて、画像形成システムＳＹの具体的な動作を説明すると共に、給紙情報の作成方法を詳細に説明する。
【０１１２】
先ず、ホスト端末２００の動作について説明すると次のようになる。ホスト端末２００のＣＰＵ２１０は、印刷データ２９２の印刷指示を検知すると、図２に示す印刷設定画面２５１を表示部２５０に表示させて（ステップＳ１００）、指定手段及び選択手段としての入力部２３０の操作に応じてユーザの印刷設定の入力を受け付ける（ステップＳ１０２）。そして、ＯＫボタンＢＴ１がクリックされたことを検知したら（ステップＳ１０４；Ｙｅｓ）、印刷設定画面２５１の設定内容を印刷設定情報２９４として記憶部２９０に記憶し、印刷データ２９２と共に複合機１００に送信する（ステップＳ１０６）。
【０１１３】
これに対し、複合機１００の動作は次のようになる。複合機１００の画像制御ＣＰＵ１１は、コントローラ６０を介してホスト端末２００から印刷設定情報２９４及び印刷データ２９２を受信すると、印刷設定情報２９４と、印刷データ２９２に含まれるページ設定情報２９３とをＲＡＭ１３に記憶し、当該印刷データ２９２を圧縮メモリ２６に記憶させる（ステップＳ２００）。
【０１１４】
そして、ページ毎に給紙情報を作成して（ステップＳ２０２）、後処理装置２に転送すると共に（ステップＳ２０６）、ページ設定情報２９３に基づいてページ毎の画像形成を行う（ステップＳ２０６）。具体的には、ページ設定情報２９３で示される転写紙サイズの転写紙を給紙トレイ８７ａ〜８７ｅの何れかから搬送し、ページ設定情報２９３の画像種別が縦画像であれば、印刷データ２９２に基づいた画像を搬送された転写紙上に縦方向に画像形成し、横画像であれば横方向に画像形成する。
【０１１５】
画像制御ＣＰＵ１１が、画像形成した転写紙を後処理装置２に搬送すると、ＦＮＳ制御部７１は、画像制御ＣＰＵ１１から転送された給紙情報に従って、搬送された転写紙に後処理を行って排紙トレイに排出する（ステップＳ２０８）。
【０１１６】
次に、ステップＳ２０４における給紙情報の作成方法について説明する。画像制御ＣＰＵ１１は、図９（ｃ）及び図１０の給紙情報作成処理を逐次行うことで、ページ毎の給紙情報を作成する。即ち、画像制御ＣＰＵ１１は、ページ設定情報２９３内に含まれる転写紙サイズ３１３と画像種別３１２とに基づいて、給紙情報の転写紙サイズ及び給紙トレイを設定（セット）する（ステップＳ３００〜３０２）。そして、印刷設定情報２９４の通常印刷４１０及び指定分割設定４２３の後処理方法に基づいて後処理情報を設定し（ステップＳ３０４）、図１０に示す区切り情報判断セット処理を行って区切り情報を設定し（ステップＳ３０５）、印刷設定情報２９４に基づいて排出先情報をセットする（ステップＳ３０６）。
【０１１７】
ステップＳ３０５における区切り情報セット処理では、図２の印刷設定画面２５１の設定パターンに応じた印刷設定情報２９３及びページ設定情報２９３に基づき次のような処理を行う。
【０１１８】
先ず、印刷設定画面２５１のステイプルチェックＣ１又はパンチチェックＣ２がＯＮされて後処理方法が指定されて、通常印刷４１０のステイプル及びパンチの有無４１１，４１３を判定し、画像制御ＣＰＵ１１は、後処理があると判定し（ステップＳ４００；有）、冊子分割指定有無４２１に基づいて冊子分割印刷を行わないと判定した場合（ステップＳ４０２；Ｎｏ）、ページ設定情報２９３の全ページ数３００に基づいて画像形成するページが１冊子の最終ページ（部区切り）であるか否かを判定する（ステップＳ４０４）。
【０１１９】
そして、部区切りであると判定した場合は（ステップＳ４０４；Ｙｅｓ）、区切り情報の“あり”を給紙情報にセットし（ステップＳ４０６）、部区切りではないと判定した場合は（ステップＳ４０４；Ｎｏ）、そのまま後処理情報セット処理を終了する。このため、単に後処理のみが指定された通常印刷の場合は、この区切り情報“あり”の給紙情報が後処理装置２に転送されたとき、即ち転写紙が最終ページまでの蓄積されたときに後処理が施される。
【０１２０】
次に、ステップＳ４００において後処理があると判定し、冊子分割指定有無４２１に基づいて冊子分割印刷を行うと判定した場合（ステップＳ４０２；Ｙｅｓ）、画像制御ＣＰＵ１１は、分割モード４２２を判定する（ステップＳ４０８）。
【０１２１】
そして、分割モード４２２が指定分割モードであると判定した場合（ステップＳ４０８；指定）、指定分割設定４２３を取得し（ステップＳ４１０）、現在印刷するページが指定分割設定４２３のページ範囲４２４内の最終ページであるか否かを判別する（ステップＳ４１２）。画像制御ＣＰＵ１１は、ページ範囲４２４内の最終ページであり、現在のページが冊子分割印刷する区切りのページ（束の最終ページ）であると判別した場合は（ステップＳ４１２；Ｙｅｓ）、ステップＳ４０６に処理を移行し、区切りページではないと判別した場合は（ステップＳ４１２；Ｎｏ）、そのまま後処理情報セット処理を終了する。このため、指定分割モードの場合、ユーザが予め設定した冊子分割情報に基づいたページ毎に冊子分割印刷されて後処理が施される。
【０１２２】
次に、ステップＳ４０２において冊子分割印刷を行うと判定し、分割モード４２２が自動分割モードであると判定した場合（ステップＳ４０８；自動）、画像制御ＣＰＵ１１は、自動分割設定４３０を取得する（ステップＳ４１４）。
【０１２３】
そして、自動分割設定４３０の後処理実行条件４３２が設定されていなかった場合（ステップＳ４１６；Ｎｏ）、ページ設定情報２９３を参照して直前のページの印刷条件が現在の印刷条件と同一でるか否かを判定する（ステップＳ４２０）。そして、印刷条件が同一であった場合は（ステップＳ４２０；Ｎｏ）、作成する給紙情報のページが、後処理を施す転写紙の束の先頭ページであるとして、次に給紙するページの印刷条件と現在のページの印刷条件とが分割基準４３１を判断基準にして同一であるか否かを判断する（ステップＳ４２２）。
【０１２４】
決定手段及び選択判断手段である画像制御ＣＰＵ１１は、ページ設定情報２９３のページ範囲３１０毎の印刷条件３１１に基づいて次ぎに給紙するページの印刷条件が同一ではない（変化した）と判断した場合は（ステップＳ４２２；Ｎｏ）、現在のページを分割位置として決定する。そして、ステップＳ４０６に移行して、その決定した分割位置のページの区切り情報に“あり”をセットする。
【０１２５】
例えば、分割基準４３１が画像種別であった場合は、次のページと現在のページとの画像種別が同じであるか否かをページ設定情報２９３内のページ範囲３１０毎に対応づけられた画像種別３１２に基づいて判断する。そして、画像種別判断手段としての画像制御ＣＰＵ１１は、例えば、現在ページの４ページ目の画像種別が縦画像であり、次ページの５ページ目の画像種別が横画像であり印刷条件が変化した場合は、区切り情報に“あり”をセットする。
【０１２６】
また、分割基準４３１が転写紙サイズであった場合は、次に給紙する転写紙のサイズと現在の転写紙のサイズとが同じであるか否かをページ範囲３１０に対応づけられた転写紙サイズに基づいて判断する。そして、用紙サイズ判断手段としての画像制御ＣＰＵ１１は、例えば、現在の３ページ目の転写紙サイズがＡ４で、次の４ページ目がＡ３であり転写紙サイズが変化したと判断した場合、図８（ａ）に示すように３ページ目の給紙情報の区切り情報に“あり”をセットする。即ち、画像制御ＣＰＵ１１は、次のページの画像種別や転写紙サイズ（画像形成条件）が変化した場合は、現在のページを分割位置と決定して、当該ページまでの転写紙の束に後処理を施すために、給紙情報の区切り情報をセットする。画像制御ＣＰＵ１１は、図８（ａ）のように転写紙サイズ、給紙トレイ、後処理情報、区切り情報をセットした後、ステップＳ３０６においてフィニッシャーと排紙トレイをセットする。
【０１２７】
一方、ページ設定情報２９３から次ぎのページの印刷条件が同一であり、印刷条件に変化がないと判別した場合は（ステップＳ４２２；Ｎｏ）、区切り情報は“なし”のまま後処理情報セット処理を終了する。このように、分割基準４３１となる画像種別又は転写紙サイズが次のページと現在のページとで変わらない場合は、後処理はまだ行わず、引き続き転写紙を蓄積するために区切り情報のセットは行わない。
【０１２８】
一方、ステップＳ４２０において、現在のページが直前のページの印刷条件と異なり、後処理を施す転写紙の束の先頭ページであると判定し（ステップＳ４２０；Ｙｅｓ）、次に給紙するページの印刷条件が分割基準４３１を判断基準にして現在のページの印刷条件と同一であると判断した場合は（ステップＳ４２４；Ｎｏ）、区切り情報は“なし”のままとする。また、束の先頭ページ（現在のページ）が次のページの印刷条件と同一ではない場合（ステップＳ４２４；Ｙｅｓ）、つまり、画像種別又は転写紙サイズが１ページおきに異なる場合は、現在ページの給紙情報の後処理情報をクリアして、そのページの後処理を解除する（ステップＳ４２６）。従って、一枚おきにページの画像種別又は転写紙サイズが異なる場合は、なにも後処理が程されないまま排紙トレイに排出される。但し、例えば、転写紙を折りたたむ後処理のように、１枚で後処理を施すことができるものは解除しなくてもよい。
【０１２９】
また、ステップＳ４１６において自動分割設定４３０の後処理実行条件４３２が設定されていたと判定した場合（ステップＳ４１６；Ｙｅｓ）、画像制御ＣＰＵ１１は、ページ設定情報２９３を参照して現在のページが後処理実行条件４３２を満たしているか否かを判定する（ステップＳ４１８）。例えば、後処理実行条件４３２がＡ４サイズであり、現在のページの転写紙サイズ３１３がＡ４サイズである場合は、現在のページが後処理実行条件４３２を満たしていると判定し（ステップＳ４２４；Ｙｅｓ）、ステップＳ４２０以降の処理で給紙情報の区切りのセットを行う。また、転写紙サイズ３１３がＡ３サイズである場合は、現在のページが後処理実行条件４３２を満たしていないと判定し（ステップＳ４１８；Ｎｏ）、図８（ｂ）の給紙情報テーブル１３０の４ページ目のように現在のページの後処理情報をクリア（解除）する（ステップＳ４２６）。このように後後処理情報を解除した場合、ステップＳ３０６の排出先情報セットでは、後処理情報がセットされた給紙情報にフィニッシャーの設定を行う。このため、現在のページが後処理実行条件４３２を満たしていない場合は、後処理が施されずに排紙され、当該後処理実行条件４３２を満たす場合に後処理が施されて排紙されるようになる。
【０１３０】
ここで、上述した画像形成システムＳＹにおいて、図１１（ａ）のように６ページ分の給紙を行って、各転写紙がページ設定情報２９３に基づいて画像形成が行われた後に、給紙情報に基づいて排出（排紙）されたとする。そして、冊子ＢＬ１のページ設定情報２９３の画像種別が図１１（ｂ）のように１〜４ページが縦画像及び６ページが横画像として設定されている場合は、４ページ目と５ページ目とで画像種別（画像形成条件）が変化するため、４ページ目を分割位置として決定し、当該ページの給紙情報に区切り情報“あり”が設定される。また、冊子ＢＬ１の最終ページである６ページ目の給紙情報にも区切り情報“あり”が設定される。これにより、冊子ＢＬ１は、１〜４ページの用紙束Ｒ１と５及び６ページの用紙束Ｒ２とに分割されて排出される。
【０１３１】
また、後処理実行条件４３２として縦画像が設定されている場合は、図１１（ｂ）の横画像の用紙束Ｒ２には、ステイプルが行われず排出される。この場合は、ステイプルを行った用紙束Ｒ１と、ステイプルを行わない用紙束Ｒ２というパターンで自動分割が行われることとなる。
【０１３２】
また、ページ設定情報２９３の転写紙サイズが図１１（ｃ）のように１〜３ページがＡ４サイズ、４〜６ページがＡ４サイズとして設定されている場合は、３ページ目と４ページ目とで転写紙サイズ（画像形成条件）が変化するため、３ページ目が分割位置として決定され、当該ページの給紙情報に区切り情報“あり”が設定される。これにより、冊子ＢＬ２は、１〜３ページの用紙束Ｒ３と４〜６ページの用紙束Ｒ４とに分割されて排出される。このとき、用紙束Ｒ３及びＲ４共に長手方向の左上にステイプルが施される。
【０１３３】
以上、本実施形態によれば、画像形成した転写紙の画像種別や転写紙サイズの画像形成条件が変化する場合は、その変化したページの給紙情報に区切り情報をセットして、当該給紙情報を後処理装置２に転送する。これにより、後処理装置２は、区切り情報がセットされたページまでの転写紙を蓄積して後処理を施すため、画像形成条件が変化したページまでを自動的に分割することができる。従って、異なる画像形成条件が混在する冊子を、適切に後処理して分割する画像形成システムを実現することができる。
【０１３４】
〔変形例〕
尚、本発明の適用可能な範囲は上述した実施形態に限られず、適宜変更可能であり、例えば、次のようにしてもよい。先ず、区切り情報のセットを印刷条件３１１の画像種別３１０や転写紙サイズ３１３に基づいて決定することとしたが、例えば、画像種別３１０に応じて決定される転写紙の給紙方向、つまり転写紙に画像を印刷する向きに基づいて決定することで、用紙方向判断手段が実現してもよい。また、印刷データ２９２内に含まれる章や節の書式情報に基づいて区切り情報をセットすることとしてもよい。この場合、画像制御ＣＰＵ１１は、印刷データ２９２に含まれる書式情報を抽出して、その抽出したページの直前のページの紙情報に区切り情報をセットすることで実現可能であり、これにより、章や節で自動分割することができる。
【０１３５】
また、印刷データ２９２内の文字抽出と画像抽出を行って、文字が含まれるページと、画像が含まれるページとの境のページに区切り情報をセットすることとしてもよい。これにより、画像が含まれるページを文字のページと分離することができる。
【０１３６】
また、後処理方法としてステイプルとパンチを一例として説明したが、例えば、転写紙の一端をのり綴じする後処理や、平綴じ、マルチ折り、中綴じ等の後処理を行うこととしてもよく、後処理としては、記録媒体に加工を施す処理であることが望ましい。
【０１３７】
また、印刷データ２９２や印刷設定情報２９４をホスト端末２００側で生成して複合機１００に送信することとしたが、複合機１００側で生成することとしてもよい。この場合、印刷設定情報２９４は、操作表示部２０が図２及び１２の印刷設定画面２５１をＬＣＤ２２に表示させて、ユーザの設定入力を受け付けることで生成可能であり、印刷データ２９２は、原稿のＡＤＦ部４０からの読み込み時に、その原稿の読み込み方向（画像種別）やサイズ（転写紙サイズ）を判別して、この画像種別や転写紙サイズをページ設定情報２９３としてスキャナ３２で読み込んだ画像データに付加することで印刷データ２９２を生成できる。
【０１３８】
また、給紙情報を複合機１００側で作成することとしたが、ホスト端末２００側で印刷データ２９２及び印刷設定情報２９４に基づいて作成することとしてもよい。その場合、給紙除法作成プログラムをホスト端末２００の記憶部２９０に保持し、このプログラムをＣＰＵ２１０が実行する。このように、画像形成システムＳＹのシステム構成は、上述した実施形態に限られず、適宜変更することが可能である。
【図面の簡単な説明】
【０１３９】
【図１】本発明を適用した画像形成システムの概要を説明するための図。
【図２】基本設定タグを選択した印刷設定画面の一例を示す図。
【図３】自動分割設定画面の一例を示す図。
【図４】ホスト端末の機能構成の一例を示すブロック図。
【図５】（ａ）はページ設定情報、（ｂ）は印刷設定情報のデータ構成の一例を示す図。
【図６】複写機の外観及び断面の一例を示す図。
【図７】複写機の機能構成の一例を示すブロック図。
【図８】給紙情報テーブルのデータ構成の一例を示す図。
【図９】画像形成システムの具体的な動作を説明するためのフローチャート。
【図１０】後処理情報セット処理の処理内容を説明するためのフローチャート。
【図１１】自動分割モードにおける画像形成システムの実行結果の一例を示す図。
【図１２】後処理タグを選択した印刷設定画面の一例を示す図。
【図１３】冊子分割モードにおける画像形成システムの実行結果の一例を示す図。
【符号の説明】
【０１４０】
ＳＹ    画像形成システム
１００  複合機
１      本体部
２      後処理装置
３      大容量トレイユニット
１０    制御部
１１    画像制御ＣＰＵ
１２    プログラムメモリ
１３    ＲＡＭ
２０    操作表示部
３０    スキャナ部
４０    ＡＤＦ部
５０    プリンタ部
６０    コントローラ
７１    ＦＮＳ制御部
７２    ステイプラ
７３    パンチユニット
１３０  給紙情報テーブル
２００  ホスト端末
２１０  ＣＰＵ
２３０  入力部
２３２  マウス
２５０  表示部
２５１  印刷設定画面  
２５２  自動分割設定画面
２７０  Ｉ／Ｆ部
２９０  記憶部
２９２  印刷データ
２９３  ページ設定情報
２９４  印刷設定情報
４３０  自動分割設定
４３１  分割基準
４３２  後処理実行条件
【図１】
2007045093.tif 000003
【図２】
2007045093.tif 000004
【図３】
2007045093.tif 000005
【図４】
2007045093.tif 000006
【図５】
2007045093.tif 000007
【図６】
2007045093.tif 000008
【図７】
2007045093.tif 000009
【図８】
2007045093.tif 000010
【図９】
2007045093.tif 000011
【図１０】
2007045093.tif 000012
【図１１】
2007045093.tif 000013
【図１２】
2007045093.tif 000014
【図１３】
2007045093.tif 000015